【事件の表示】
　特許第３１６７３０３号「パーソナルコンピュータ」の請求項１に係る特許に対する特許異議の申立てについて、次のとおり決定する。
【結　論】
　訂正を認める。
　特許第３１６７３０３号の請求項１に係る特許を維持する。
【理　由】
１．手続の経緯
　本件特許第３１６７３０３号の請求項１に係る発明についての出願は、平成元年６月２８日に特許出願され、平成１３年３月９日にその発明について特許権の設定登録がなされ、その後、キャノン株式会社より特許異議の申立てがなされ、取消しの理由が通知され、その指定期間内である平成１４年４月８日に訂正請求がなされたものである。
　
２．訂正の適否
２−１．訂正の内容
１）請求項１「内蔵バッテリィ電源により動作可能なパーソナルコンピュータに於いて、
　筐体の所定部位に、ディスクドライブを収めた第１の外部記憶ユニット、又は、カードスロットをもつカードアダプタを収めた第２の外部記憶ユニットが選択的に嵌挿される外部記憶ユニット収納部と、
　上記収納部に嵌挿された外部記憶ユニットを回路接続するコネクタと
　を具備してなることを特徴とするパーソナルコンピュータ。」とあるのを、
「内蔵バッテリィ電源により動作可能なパーソナルコンピュータに於いて、
　筐体の所定部位に、ディスクドライブを納めた第１の外部記憶ユニット、又は、
上記第１の外部記憶ユニットと同一寸法を有すると共に、
　上記収納部に嵌挿され
る上記第１の外部記憶ユニット又は上記第２の外部記憶ユニットが回路接続される共通の
　を具備してなることを特徴とするパーソナルコンピュータ。」と訂正する。
２）明細書の発明の詳細な説明のうち「（課題を解決するための手段及び作用）」の欄及び「［発明の目的］」の欄の記載を、請求項１の訂正に整合させる。
３）明細書の発明の詳細な説明のうち「（実施例）」の記載において、第１図を説明している個所の「３及び４はそれぞれパックユニット収納スロット１ａに選択的に挿着されるパックユニットであり、」なる記載の直後の「このうち、１は小型フロッピィディスクドライブ（ＦＤＤ）」とあるのを「このうち、３は小型フロッピィディスクドライブ（ＦＤＤ）」と訂正する。
　
２−２．訂正の目的の適否及び拡張・変更の存否
　上記訂正１）は、「第２の外部記憶ユニット」が「第１の外部記憶ユニット」と同一寸法を有する点を明示し、「収納部に嵌挿された外部記憶ユニットを回路接続するコネクタ」について、当該「外部記憶ユニット」が「第１の外部記憶ユニット」又は「第２の外部記憶ユニット」である点を明示するものであって、特許請求の範囲の減縮を目的とした明細書の訂正に該当し、上記訂正２）は、上記訂正１）と整合を図るものであって、明りょうでない記載の釈明に該当し、上記訂正３）は、当該訂正個所の前後の記載及び図面第１図の記載からみて、誤記の訂正に該当し、いずれも、願書に添付した明細書又は図面に記載された事項及びそれから自明な範囲の事項であり、かつ、実質的に特許請求の範囲を拡張又は変更するものではない。
　
２−３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立てについて
３−１．申立ての理由の概要
　申立人は、本件発明は、甲第１号証ないし甲第５号証に記載された発明に基づいて、当業者が容易に発明をすることができたものであるから、特許法第２９条第２項の規定に違反してなされたものであり、特許を取り消すべき旨主張している。
　
３−２．本件の請求項１に係る発明
  上記２．で示したように上記訂正が認められるから、本件の請求項１に係る発明（以下、「本件発明」という）は、上記訂正請求に係る訂正明細書の特許請求の範囲の請求項１に記載された次のとおりのものである。
「内蔵バッテリィ電源により動作可能なパーソナルコンピュータに於いて、
　筐体の所定部位に、ディスクドライブを納めた第１の外部記憶ユニット、又は、上記第１の外部記憶ユニットと同一寸法を有すると共に、カードスロットをもつカードアダプタを収めた第２の外部記憶ユニットが選択的に嵌挿される外部記憶ユニット収納部と、
　上記収納部に嵌挿される上記第１の外部記憶ユニット又は上記第２の外部記憶ユニットが回路接続される共通のコネクタと
　を具備してなることを特徴とするパーソナルコンピュータ。」
　
３−３．刊行物等
　申立人の提出した刊行物には、それぞれ以下の事項が記載されている。
　刊行物１：特開平１−１３７３１４号公報（甲第１号証）
・「本発明は、例えばシステム用フロッピディスクとデータ用フロッピディスクの２つのフロッピディスクを用いて処理を実行するパーソナルコンピュータ、ワードプロセッサあるいはタイプライターなど、データ処理装置に関する。」（第１頁右下欄第１０〜１４行）
・「上記ワードプロセッサ本体２の両側面２ａ・２ｂには、第２図に示すように、後述の両駆動装置Ｍ１・Ｍ２を挿入するための挿入口を有する内ケース１０・１１が設けられており、これら内ケース１０・１１の背面板には制御信号用の雌コネクタ１０ａ・１１ａと電源用の雌コネクタ１０ｂ・１１ｂとがそれぞれ設けられている。また、上記内ケース１０・１１は両駆動装置Ｍ１・Ｍ２より若干大きくなるように形成されており、その内部に外部記憶手段としてのシステム用フロッピディスクＦ１を駆動するシステム用ディスク駆動装置Ｍ１と、データ用フロッピディスクＦ２を駆動するデータ用ディスク駆動装置Ｍ２とを着脱自在に装填しうる構造である。」（第３頁左上欄第２〜１５行）
・「システム用ディスク駆動装置Ｍ１の背面部には、第３図に示すように、スイッチ部１２ｄが突出形成されており、このスイッチ部１２ｄが前記うちケース１０・１１の背面部に形成された図示しないリードスイッチを押圧することにより何れかのディスク駆動装置が装填されたかを判別するような構造である。」（第３頁右上欄第５〜１１行）
・「上記のような構成であれば、例えばシステム用ディスク駆動装置Ｍ１を内ケース１０内に装填すれば、システム用ディスク駆動装置Ｍ１の背面に設けられた制御信号用の雄コネクタ１２ａと内ケース１０の背面に設けられた雌コネクタ１０ａ、及びシステム用ディスク駆動装置Ｍ１の背面に設けられた電源用の雄コネクタ１２ｂと内ケース１０の背面に設けられた雌コネクタ１０ｂとがそれぞれ係合する。」（第３頁右上欄第１７行〜同頁左下欄第５行）
・「更に、上記実施例では、外部記憶手段としてはフロッピディスクを用いたが、ＲＯＭカードやＲＡＭカードなどのＩＣカードであってもよいことは勿論である。加えて、上記実施例ではワードプロセッサについて説明したけれども、その他パーソナルコンピュータなどのデータ処理装置に広範囲に実施することが可能である。」（第４頁左上欄第１１〜１８行）
・「したがって、操作者はデータ処理装置本体の任意の側面に何れの駆動装置をも装着することができるので、これら駆動装置にそれぞれ装填される両外部記憶手段を使い勝手のよい側面から抜脱することが可能となる。これにより、データ処理装置の使い勝手を飛躍的に向上させることができると共に、設置条件の自由度を極めて大とすることができるという効果を奏しうる。」（第４頁右上欄第８〜１５行）
　刊行物２：特開昭６３−８０３１３号公報（甲第２号証）
・「本発明は電子計算機および通信回線機器の補助記憶装置に利用する。特に、パーソナルコンピュータまたは通信端末装置に汎用インターフェースで接続される外部記憶装置に利用する。」（第２頁左上欄第３〜６行）
・「一つの筐体に種類の異なる記憶ユニットが挿入できるようにしておき、あらかじめその種類に対応して短絡状態の異なるキーピンを設けておき、筐体内の制御部でこれを読み取って、筐体内で信号線の接続切換を行なうことにより、種類の異なる複数の記憶ユニットを取り替えて利用できるようにしたものである。」（第２頁左上欄第１０〜１６行）
・「筐体１の前面パネルには２組の記憶ユニット２Ａおよび２Ｂが挿入される長方形の開口１Ａおよび１Ｂがある。・・・前面パネルより挿入された記憶ユニット２Ａおよび２Ｂは筐体側接続端子３Ａおよび３Ｂを介して、それぞれ、制御部４および電源回路５に接続される。汎用インターフェース２１Ａ、２１Ｂにより図外のパーソナルコンピュータにそれぞれ接続する筐体側インターフェース６Ａ、６Ｂと、商用電源からのプラグに接続する電源コネクタ７とは筐体１の背面に設けられている。」（第３頁左上欄第７〜１９行）
・第４頁の「第１表　ビットコード対応表（１）」及び「第２表　ビットコード対応表（２）」は、「記憶ユニット種類」と「容量」に対応した「ビットコード」が表として示され、記憶ユニット種類として、フロッピーディスクドライブなどと並んで、ＲＡＭディスクドライブが示されている。
　刊行物３：実願昭６２−１０４３８８号（実開昭６４−１０８５９号公報）のマイクロフィルム（甲第３号証）
・「ＩＣカードに記憶させたゲーム等のプログラムを、ＲＯＭカセットで動くゲーム専用パーソナルコンピュータにも利用できるアダプターカセットを提供することを目的とする。本考案は上記の目的を達成するために、第１図に示すように、カセット本体ケース１の差込側１ａと反対側の端面１ｂにＩＣカード差込用スリット２を設け、そのスリット２内に、カセット本体ケース１の差込側１ａに設けられている端子３と結ばれたＩＣカード受端子４を備えたことを特徴とする。本考案のアダプターカセットＡは、第２図に示すように、ゲーム専用パーソナルコンピュータＰのスリットＳにゲームカセットと同じ要領で差込み、そのアダプターカセットＡのスリット２にＩＣカードＣを指定された方向に差込むもので、ＩＣカードＣが所定の深さ位置まで差込まれると、ＩＣカードＣの外部接続端子ＴがアダプターカセットＡの受端子４に接触子、ＩＣカードＣの回路が外部接続端子Ｔ→受端子４→端子３を通じてコンピュータＰにつながる。」（明細書第２頁第９行〜第３頁第９行）
・「従来ＲＯＭカセットによるプログラムでしか機能しなかったゲーム専用パーソナルコンピュータを、ＩＣカードによるプログラムによっても機能させることが可能となり、・・・」（明細書第３頁第１６〜２０行）
　刊行物４：実願昭６１−１５１１６７号（実開昭６３−５６４２９号公報）のマイクロフィルム（甲第４号証）
・「本考案はフロッピーディスク装置或いはハードディスク装置を内蔵し且つ電池駆動可能な携帯型のパーソナルコンピュータ等の電子機器に関する。・・・最近、キーボード、液晶表示器およびフロッピーディスク装置を一体に構成し、電池駆動可能な携帯型のパーソナルコンピュータが普及している。」（明細書第１頁第１５行〜第２頁第２行）
　刊行物５：特開昭６０−１６００８９号公報（甲第５号証）
・「一側面にＩＣメモリーカード挿入用スリットを設けたケースと、ケース内に収納されたコネクタと、ケースの他側面から外部と接続可能に設けた外部端子とを有し、コネクタにはＩＣメモリーカード挿入口と、カードの端子と接触する端子とを設け、コネクタの端子と上記外部端子とを１対１に対応させて接続したことを特徴とするＩＣメモリーカード用接続カートリッジ。」（特許請求の範囲）
・「以上の構成により、本発明カートリッジの外部端子３側をパソコン本体に接続し、次いでカートリッジにスリット１１からＩＣメモリーカードを差込むと、カードＣの端子とカートリッジの端子３（これらは同数とする）とがコネクタ５を介して１対１に対応するから、従来ＲＯＭカートリッジしか利用できなかったＭＳＸパソコンに、ＲＯＭカートリッジ及びメモリーカードのいずれでも使用できることになり、極めて便利である。」（第２頁左下欄第４〜１３行）
　
３−４．対比・判断
　本件発明と、刊行物１ないし刊行物５に記載された事項とを対比すると、刊行物１ないし刊行物５には、本件発明の構成要件である「内蔵バッテリィ電源により動作可能なパーソナルコンピュータに於いて、筐体の所定部位に、ディスクドライブを納めた第１の外部記憶ユニット、又は、上記第１の外部記憶ユニットと同一寸法を有すると共に、カードスロットをもつカードアダプタを収めた第２の外部記憶ユニットが選択的に嵌挿される外部記憶ユニット収納部・・・を具備してなる」点について開示がなく、またこれを示唆する記載もない。
　すなわち、刊行物１は、システム用ディスク駆動装置Ｍ１とデータ用ディスク駆動装置Ｍ２を本体両側面に設けた、パーソナルコンピュータ、ワードプロセッサあるいはタイプライターなどのデータ処理装置に関するもので、２つのディスク駆動装置Ｍ１、Ｍ２を着脱自在に装填しうる構造とすることにより、両外部記憶手段を使い勝手のよい側面から抜脱することを可能とし、設置条件の自由度を極めて大とすることができるというものであって、ディスクドライブを納めた第１の外部記憶ユニットとカードスロットをもつカードアダプタを収めた第２の外部記憶ユニットとが選択的に嵌挿される外部記憶ユニット収納部についての記載はなく、これを示唆する記載もない。刊行物１では、ＩＣカードについても言及しているが、当該刊行物１に係る発明が外部記憶手段としてＩＣカードを用いた場合にも適用できることを記載しただけであって、ディスクドライブを納めた第１の外部記憶ユニットとカードスロットをもつカードアダプタを収めた第２の外部記憶ユニットとが選択的に嵌挿される外部記憶ユニット収納部を示唆する記載はない。
　刊行物２は、パーソナルコンピュータに汎用インターフェースで接続され商用電源で動作する外部記憶装置に関するもので、内蔵バッテリィ電源により動作可能なパーソナルコンピュータにおけるディスクドライブを納めた第１の外部記憶ユニットとカードスロットをもつカードアダプタを収めた第２の外部記憶ユニットとが選択的に嵌挿される外部記憶ユニット収納部についての記載はなく、これを示唆する記載もない。刊行物２では、記憶ユニット種類としてフロッピーディスクドライブ等と並んでＲＡＭディスクドライブが記載されているが、ディスクドライブを納めた第１の外部記憶ユニットとカードスロットをもつカードアダプタを収めた第２の外部記憶ユニットとが選択的に嵌挿される外部記憶ユニット収納部を示唆する記載はない。
　刊行物３は、ＩＣカードに記憶させたゲーム等のプログラムを、ＲＯＭカセットで動くゲーム専用パーソナルコンピュータにも利用できるようにするアダプターカセットに関するもので、ディスクドライブを納めた第１の外部記憶ユニットに相当する構成がなく、ディスクドライブを納めた第１の外部記憶ユニットとカードスロットをもつカードアダプタを収めた第２の外部記憶ユニットとが選択的に嵌挿される外部記憶ユニット収納部を示唆する記載はない。
　刊行物４は、フロッピーディスク装置或いはハードディスク装置を内蔵し且つ電池駆動可能な携帯型のパーソナルコンピュータ等の電子機器に関するものであるが、フロッピーディスク装置或いはハードディスク装置をカードスロットをもつカードアダプタを収めた第２の外部記憶ユニットと選択的に使用できるようにする点の記載はなく、またこれを示唆もない。
　刊行物５は、ＲＯＭカートリッジしか利用できなかったＭＳＸパソコンに、ＩＣメモリーカードも使用できるようにするＩＣメモリーカード用接続カートリッジに関するもので、ディスクドライブを納めた第１の外部記憶ユニットに相当する構成がなく、ディスクドライブを納めた第１の外部記憶ユニットとカードスロットをもつカードアダプタを収めた第２の外部記憶ユニットとが選択的に嵌挿される外部記憶ユニット収納部を示唆する記載はない。
　そして、刊行物１ないし刊行物５には、本件発明が課題としている、内蔵バッテリィ電源により動作可能なパーソナルコンピュータに於いて、外部記憶媒体として回転磁気記録媒体を用いる構成は、内蔵バッテリィ電源にかかる負荷が大きく、外部記憶媒体としてメモリカードを用いた装置では、内蔵バッテリィ電源にかかる負荷は少ないが、カード１枚あたりの記憶容量が小さく、実用面で大きな制約を受けるという問題点についても記載がなく、またこれを示唆する記載もない。
　したがって、本件発明が刊行物１ないし刊行物５に記載された発明に基づいて当業者が容易に発明をすることができたものであると認めことはできない。
　
４．むすび
　以上のとおりであるから、特許異議申立ての理由及び証拠によっては本件請求項１に係る特許を取り消すことはできない。
　また、他に本件請求項１に係る特許を取り消すべき理由を発見しない。
　よって、結論のとおり決定する。
【異議決定日】
平成１４年４月１５日（２００２．４．１５）
【訂正の要旨】
訂正の要旨
・特許第３１６７３０３号の明細書中特許請求の範囲の請求項１
「内蔵バッテリィ電源により動作可能なパーソナルコンピュータに於いて、
　筐体の所定部位に、ディスクドライブを収めた第１の外部記憶ユニット、又は、カードスロットをもつカードアダプタを収めた第２の外部記憶ユニットが選択的に嵌挿される外部記憶ユニット収納部と、
　上記収納部に嵌挿された外部記憶ユニットを回路接続するコネクタと
　を具備してなることを特徴とするパーソナルコンピュータ。」とあるのを、特許請求の範囲の減縮を目的として、
「内蔵バッテリィ電源により動作可能なパーソナルコンピュータに於いて、
　筐体の所定部位に、ディスクドライブを納めた第１の外部記憶ユニット、又は、
上記第１の外部記憶ユニットと同一寸法を有すると共に、
　上記収納部に嵌挿され
る上記第１の外部記憶ユニット又は上記第２の外部記憶ユニットが回路接続される共通の
　を具備してなることを特徴とするパーソナルコンピュータ。」と訂正する。
・明細書の発明の詳細な説明のうち、「（課題を解決するための手段及び作用）」の欄及び「［発明の目的］」の欄の記載を、明りょうでない記載の釈明を目的として、請求項１の訂正に整合させる。
・明細書の発明の詳細な説明のうち、「（実施例）」の記載において、第１図を説明している個所の「３及び４はそれぞれパックユニット収納スロット１ａに選択的に挿着されるパックユニットであり、」なる記載の直後の「このうち、１は小型フロッピィディスクドライブ（ＦＤＤ）」とあるのを、誤記の訂正を目的として、「このうち、３は小型フロッピィディスクドライブ（ＦＤＤ）」と訂正する。
（５４）【発明の名称】
パーソナルコンピュータ
（５７）【特許請求の範囲】
（１）内蔵バッテリィ電源により動作可能なパーソナルコンピュータに於いて、
　筐体の所定部位に、ディスクドライブを納めた第１の外部記憶ユニット、又は、
上記第１の外部記憶ユニットと同一寸法を有すると共に、
　上記収納部に嵌挿され
る上記第１の外部記憶ユニット又は上記第２の外部記憶ユニットが回路接続される共通の
　を具備してなることを特徴とするパーソナルコンピュータ。
【発明の詳細な説明】
［発明の目的］
（産業上の利用分野）
　本発明は、フロッピィディスク、ハードディスク等のディスクドライブを内蔵したパックユニット、又はメモリカード、ＩＣカード等のカード類接続アダプタを内蔵したパックユニットをオプションジュールとして任意選択的に収納し回路接続する機構を備えたパーソナルコンピュータと、パーソナルコンピュータ用パックユニット構造に関する。
（従来の技術）
　従来、携行が容易で、内部バッテリィにより動作可能なパーソナルコンピュータに於いては、外部より情報を提供する記憶媒体として、フロッピィディスク（ＦＤ）等の回転磁気記録媒体、又は、半導体メモリカード等が用いられる。このうち、外部記憶媒体として、フロッピィディスクを用いた装置構成に於いては、回転駆動機構をもつことから大きな消費電力を必要とし、従って、内部バッテリィにかかる負荷が大きく、かつ装置が大型・重量化するという問題がある。又、外部記憶媒体にメモリカードを用いた装置に於いては、カード一枚当りの記憶容量が極端に小さく、従って実用面で大きな制約を受けるという問題があり、又、記憶容量の大きなカードは現状では非常に高価であることから経済的に不利となり実用性に乏しいという問題がある。
（発明が解決しようとする課題）　
　このように、従来では、外部より情報を供給する記憶媒体としてフロッピィディスク等の回転磁気記録媒体を用いる構成は、内部バッテリィにかかる負荷が大きく、かつ装置が大型・重量化するという問題があり、又、外部より情報を供給する記憶媒体にメモリカードを用いた装置に於いては、内部バッテリィにかかる負荷は少ないが、カード一枚当りの記憶容量が極端に小さく、従って実用面で大きな制約を受けるという問題があった。
　本発明は上記実情に鑑みなされたもので、使用用途等に応じ、外部より情報を供給する記憶媒体として、フロッピィディスク、ハードディスクパック等の回転磁気記録媒体、又は、メモリカード、ＩＣカード等を任意選択的に使用できる構成としたパーソナルコンピュータを提供することを目的とする。
［発明の構成］
（課題を解決するための手段及び作用）
　本発明は、内蔵バッテリィ電源により動作可能なパーソナルコンピュータに於いて、筐体の所定部位に、ディスクドライブを収めた第１の外部記憶ユニット、又は、
上記第１の外部記憶ユニットと同一寸法を有すると共に、
る上記第１の外部記憶ユニット又は上記第２の外部記憶ユニットが回路接続される共通の
（実施例）
　以下図面を参照して本発明の一実施例を説明する。
　第１図は本発明の一実施例を示す構成説明図である。
　第１図に於いて、１は本発明で対象とするパーソナルコンピュータの本体、２は本体１上で所定の回動範囲をもって開閉自在に設けられた表示部筐体である。１ａは本体１の一側面に設けられたパックユニット収納スロットである。３及び４はそれぞれパックユニット収納スロット１ａに選択的に挿着されるパックユニットであり、このうち、
３
　第２図はパックユニット収納スロット１ａのユニット挿着部分の構成を示す図断面図であり、図中、１ｃはコネクタである。
　第３図はディスクパックユニット３の構成を示す図であり、同図（ａ）は平面図、同図（ｂ）は側面図、同図（ｃ）は挿入方向の前端面を示す正面図、同図（ｄ）は挿入方向の後端面を示す正面図である。図中、３ａは記憶媒体（ディスケット）の挿入部、３１は接栓部、３２はＦＤＤ又はＨＤＤ等のディスクパック、３３は回路接続ケーブルである。
　第４図はカードパックユニット４の構成を示す図であり、同図（ａ）は平面図、同図（ｂ）は側面図、同図（ｃ）は挿入方向の前端面を示す正面図、同図（ｄ）は挿入方向の後端面を示す正面図である。図中、４ｓはメモリカード、ＩＣカード等の半導体カード５が挿入されるカードスロット、４１は接栓部、４２はカード収納部、４３は回路接続ケーブルである。
　第５図は上記実施例に於けるスロット構造をなすパーソナルコンピュータの構成例を示すブロック図である。
　ここでは、パックユニット収納スロット１ａに挿着されたディスクパックユニット３、又は、カードパックユニット４が、パックインターフェイス（Ｐ−ＩＦ）２０を介してシステムバス（Ｓ−ＢＵＳ）１０に接続され、ＣＰＵ１１の制御の下に、上記各パックユニット（３又４）がアクセス制御される。パックインターフェイス２０は、パックユニットの実装状態及び実装パックユニットの種類を示す情報を保持しＣＰＵ１１に応答する機能をもつ。
　ＣＰＵ１１はパックインターフェイス２０の応答情報を受けると、その情報内容から、パックユニット収納スロット１ａのパックユニット実装状態と実装ユニット種別を認識し、その認識に従うアクセスモードで実装パックユニット（３又は４）をアクセス制御する。この実施例では、ディスクパックユニット３内に、ディスクドライブ（ＦＤＤ／ＨＤＤ）に固有のコントローラ（ＦＤＣ／ＨＤＣ）をもち、実装ディスクパック（ＦＤＤ／ＨＤＤ）が上記コントローラ、及びパックインターフェイス２０を介してシステムバス１０に接続され、ＣＰＵ１１のアクセス対象となる。
　尚、第５図に於いて、１２は固定プログラム等が格納されるＲＯＭ、１３は処理対象となるプログラム、データ等が格納されるＲＡＭであり、ここでは１．５ＭＢの容量をもち、そのうち６４０ＫＢを主記憶に、残る８９６ＫＢを所謂ハードＲＡＭとして電源オフ時に於いても常時バックアップ電源が供給される。１４はダイレクトメモリアクセス制御を行なうＤＭＡコントローラ（ＤＭＡＣ；ＤｉｒｅｃｔＭｅｍｏｒｙ　Ａｃｃｅｓｓ　Ｃｏｎｔｒｏｌｌｅｒ）、１５はプログラムにより設定可能な割込みコントローラ（ＰＩＣ；Ｐｒｏｇｒａｍｍａｂｌｅ　Ｉｎｔｅｒｒｕｐｔ　Ｃｏｎｔｒｏｌｌｅｒ）、１６はプログラムにより設定可能なインターバルタイマ（ＰＩＴ；Ｐｒｏｇｒａｍｍａｂｌｅ　Ｉｎｔｅｒｖａｌ　Ｔｉｍｅｒ）、１７は独自の動作用電源をもつ時計モジュール（ＲＴＣ；Ｒｅａｌ−Ｔｉｍｅ　Ｃｌｏｃｋ）である。１８はレジューム機能を実現するためのデータ保存域となるバックアップＲＡＭ（ＢＫ−ＲＡＭ）であり、バックアップ電源（ＶＢＫ）が供給される。又、２１はプリンタコントローラ（ＰＲＴ−ＣＯＮＴ）、２２は入出力インターフェイス（ＵＡＲＴ；Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）、２３はキーボードコントローラ（ＫＢＣ）、２４は表示コントローラ（ＤＩＳＰ−ＣＯＮＴ），２５はバックアップ電源（ＶＢＫ）が供給されたビデオＲＡＭ（ＶＲＡＭ）、２６は漢字文字コードから漢字文字パターンを得る漢字ＲＯＭ、２７は仮名／漢字変換辞書等を実現する辞書ＲＯＭである。２８は電源回路３０をシステムバス１０を介してＣＰＵ１１に接続するための電源制御インターフェイス（ＰＳ−ＩＦ）である。２９は商用交流電源（ＡＣ）を整流・平滑して所定電位の直流動作用電源を得る電源アダプタ（ＡＣアダプタ）であり、パーソナルコンピュータ本体にプラグイン接続される。３０はパワーコントロールＣＰＵ（ＰＣ−ＣＰＵ）を備えた電源回路（インテリジェントパワーサプライ）であり、パワーコントロールＣＰＵの制御のもとに装置の電源オン／オフ状態に拘らず、通常、内部電源の状態を監視する機能をもつ。３１Ａは充電可能な電池により構成されたパック形式の着脱自在なメインバッテリィ（Ｍ−ＢＡＴＴ）、３１Ｂは同じく充電可能な電池により構成された本体内蔵形のサブバッテリィ（Ｓ−ＢＡＴＴ）である。３４はプリンタコントローラ２１に必要に応じて接続されるプリンタ、３５は入出力インターフェイス２２に必要に応じて接続されるＲＳ−２３２Ｃインターフェイス機器、３６はキーボードコントローラ２３に接続されるキーボード、３７は表示コントローラ２４に接続されるＬＣＤ表示部、３８は表示コトローラ２４に必要に応じて選択的に接続されるＣＲＴ表示部である。４０は拡張ユニットが必要に応じて選択的に接続される拡張用コネクタである。
　上記したように、内蔵バッティ電源により動作可能なパーソナルコンピュータに於いて、同コンピュータ筐体の所定部位に、直方体形状の筐体内にディスクドライブユニットを収めたディスクパックユニット３又は、同パックユニット３と同一寸法の筐体構造をなし、カードアダプタを収めたカードパックユニット４が選択的に嵌挿されるパックユニット収納スロット１ａと、同収納スロット１ａに嵌挿されたパックユニットを回路接続するコネクタとを備えて、筐体に設けられた単一のパックユニット収納スロット１ａに、ＦＤＤ又はＨＤＤ等のディスクドライブユニットを収めたディスクパックユニット３、又は、カードスロットをもつカードアダプタを収めたカードパックユニット４を任意選択的に挿着し回路接続できる構成としたことにより、使用用途、使用形態等に応じて、フロッピィディスク、ハードディスクパック等の回転磁気記録媒体、又は、メモリカード、ＩＣカード等を任意選択的に用いることができ、その選択作業も容易にかつ迅速に行える。
　上記した実施例では、本体１に只一つのパックユニット収納スロット１ａを設けた構成としているが、この種パックユニット収納スロット１ａを複数設けた構成であってもよい。又、ディスクパックユニット３、カードパックユニット４等の構成も上記実施例に限らず、例えばカードスロットを一つのみ設けたカードパックユニットを用いてもよい。
［発明の効果］
　以上詳記したように本発明によれば、内蔵バッテリィ電源により動作可能なパーソナルコンピュータに於いて、筐体の所定部位に、ディスクドライブを収めた第１の外部記憶ユニット、又は、
上記第１の外部記憶ユニットと同一寸法を有すると共に、
る上記第１の外部記憶ユニット又は上記第２の外部記憶ユニットが回路接続される共通の
【図面の簡単な説明】
　第１図は本発明の一実施例を示す構成説明図、第２図は上記実施例に於けるパックユニット収納スロットのユニット挿着部分の構成を示す図断面図、第３図は上記実施例に於けるディスクパックユニットの構成を示す図、第４図は上記実施例に於けるカードパックユニットの構成を示す図、第５図は上記実施例に於けるスロット構造をなすパーソナルコンピュータの構成例を示すブロック図である。
　１……本体、１ｃはコネクタ、２……表示部筐体、３……ディスクパックユニット、３ａ……記憶媒体（ディスケット）の挿入部、３１……接栓部、３２……ディスクパック（ＦＤＤ又はＨＤＤ等）、３３……回路接続ケーブル、４……カードパックユニット、４ｃ……コネクタ、４ｓ……カードスロット、４１……接栓部、４２……カード収納部、４３……回路接続ケーブル、１０……システムバス（Ｓ−ＢＵＳ）、１１……ＣＰＵ、１２……ＲＯＭ、１３……ＲＡＭ、１４……ＤＭＡコントローラ（ＤＭＡＣ；Ｄｉｒｅｃｔ　Ｍｅｍｏｒｙ　Ａｃｃｅｓｓ　Ｃｏｎｔｒｏｌｌｅｒ）、１５……割込みコントローラ（ＰＩＣ；Ｐｒｏｇｒａｍｍａｂｌｅ　Ｉｎｔｅｒｒｕｐｔ　Ｃｏｎｔｒｏｌｌｅｒ）、１６……インターバルタイマ（ＰＩＴ；Ｐｒｏｇｒａｍｍａｂｌｅ　Ｉｎｔｅｒｖａｌ　Ｔｉｍｅｒ）、１７……時計モジュール（ＲＴＣ；Ｒｅａｌ−Ｔｉｍｅ　Ｃｌｏｃｋ）、１８……バックアップＲＡＭ（ＢＫ−ＲＡＭ）、２０……パックインターフェイス（Ｐ−ＩＦ）、２１……プリンタコントローラ（ＰＲＴ−ＣＯＮＴ）、２２……入出力インターフェイス（ＵＡＲＴ；Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）、２３……キーボードコントローラ（ＫＢＣ）、２４……表示コントローラ（ＤＩＳＰ−ＣＯＮＴ）、２５……ビデオＲＡＭ（ＶＲＡＭ）、２６……漢字ＲＯＭ、２７……辞書ＲＯＭ、２８……電源制御インターフェイス（ＰＳ−ＩＦ）、２９……電源アダプタ（ＡＣアダプタ）、３０……インテリジェントパワーサプライ（電源回路）、３１Ａ……メインバッテリィ（Ｍ−ＢＡＴＴ）、３１Ｂ……サブバッテリィ（Ｓ−ＢＡＴＴ）、３４……プリンタ、３５……ＲＳ−２３２Ｃインターフェイス機器、３６……キーボード、３７……ＬＣＤ表示部。